(57)【特許請求の範囲】
【請求項１】
多数の電動ブラインドの各一台毎又は同一動作を行なう各一群毎に、対応する電動ブラインドの動作制御をする各一台のブラインドコントローラを設けて、これらのブラインドコントローラを通信線により接続しかつ該通信線の一端にブラインドの動作を指令する指令手段を接続した電動ブラインドの制御装置において、上記各ブラインドコントローラは、機械的操作で各ブラインドコントローラを個々に識別する物理アドレスコードを与える物理アドレス設定手段と、物理アドレスコードと共に上記指令手段から送信される論理アドレスコードを受信し、上記指令手段から送信される物理アドレスコードが自己を指定している場合に、当該物理アドレスコードと共に送信される論理アドレスコードを登録する論理アドレス登録手段と、上記指令手段から送信される論理アドレスコードが自己を指定している場合に、当該論理アドレスコードと共に上記指令手段から送信される動作指令信号に基づいてブラインドを動作させる動作制御手段とを有し、上記指令手段は、各ブラインドコントローラを示す上記論理アドレスコードを設定する論理アドレス設定手段と、送信先のブラインドコントローラを示す物理アドレスコードと共に当該設定された論理アドレスコードを送信する論理アドレス送信手段と、送信先のブラインドコントローラを示す論理アドレスコードと共に当該ブラインドコントローラの動作を決める上記動作指令信号を送信する動作信号送信手段とを有し、上記論理アドレス設定手段は、少なくとも、共通あるいは相互に関連した動作を行なうグループ内に所属する複数のブラインドを他のブラインドと識別するために共通の数字及び／又は符号付けされたコードからなる第一の階層と、共通あるいは相互に関連した動作を行なうグループ内に所属する複数のブラインドを他のブラインドと識別するために共通の数字及び／又は符号付けされ、前記第一の階層のコードとは異なるコードからなる第二の階層と、上記第一の階層又は第二の階層によるグループ内の各ブラインドを識別するために数字及び／又は記号で符号付けされたコードからなるブラインド識別階層と、からなる複数の階層構造をなす論理アドレスコードを設定するものであることを特徴とする電動ブラインドの制御装置。
【請求項２】
請求項１において、第１の通信線の一端に接続された中央指令手段と、この第１の通信線の他端側に多数接続されかつ上記多数のブラインドコントローラを接続する第２の通信線が接続された２次指令手段とにより、上記指令手段を構成し、上記中央指令手段と２次指令手段の少なくともいずれかに上記論理アドレス設定手段を設けたことを特徴とする電動ブラインドの制御装置。
【請求項３】
請求項１において、第１の通信線の一端に接続された中央指令手段と、この第１の通信線の他端側に多数接続されかつ上記多数のブラインドコントローラを接続する第２の通信線が接続された２次指令手段とにより、上記指令手段を構成し、上記中央指令手段と２次指令手段の少なくともいずれかに上記論理アドレス送信手段を設けたことを特徴とする電動ブラインドの制御装置。
【請求項４】
請求項２又は３において、上記２次指令手段は、各ブラインドコントローラに登録した論理アドレスコードを確認させるための論理アドレスコード確認用信号を、一定単位時間毎に繰り返し送信するアドレス確認信号送信手段を有することを特徴とする電動ブラインドの制御装置。
【請求項５】
請求項２又は３において、上記２次指令手段は、送信先のブラインドコントローラを指示する論理アドレスコードとブラインド動作信号を、一定単位時間毎に繰り返し送信する動作確認信号送信手段を有することを特徴とする電動ブラインドの制御装置。
【請求項６】
請求項２ないし５のいずれかにおいて、上記２次指令手段を、多数のブラインドを設けたフロアが多層階設けられている高層ビルの各フロア毎に少なくとも１個設けたフロア制御手段としたことを特徴とする電動ブラインドの制御装置。
【請求項７】
請求項１ないし６のいずれかにおいて、論理アドレス設定手段及び論理アドレス送信手段、あるいは論理アドレス送信手段及び動作信号送信手段、の少なくともいずれかの組を有し、かつ上記通信線とは有線で接続されていないリモートコントロール手段を設け、上記ブラインドコントローラ及び／又は２次指令手段に対して、論理アドレスコードの設定信号、あるいは動作指令信号を無線で送信可能に設けたことを特徴とする電動ブラインドの制御装置。
【発明の詳細な説明】
【０００１】
【産業上の利用分野】
本発明は電動ブラインドの制御装置に関し、例えば、高層ビル等の窓面に設けられる数百以上の極めて多数の電動ブラインドの開閉や昇降等の動作制御を一括制御することができるようにした電動ブラインドの制御装置に関する。なお、本発明において電動ブラインドとは、多数のスラットをラダーコードで上下方向に離間して吊持した所謂狭義のブラインドの他、ロールスクリーン，カーテン，シャッター等を含む。
【０００２】
【従来技術】
多数の窓に装備されるブラインドをコンピュータで統括制御する電動ブラインドは、ビルの高層化などに伴って近時その利用が急速に増大しつつある。これは、一般に南向き窓面では日射を避けるために日中はブラインドを遮光状態に維持し、日没後は上昇させ、業務終了後は降下させて遮蔽状態にすることがよいが、北向きの窓面では日射の影響は考慮する必要がなく、また東向きの窓面や西向きの窓面では午前中と午後では日射の状況が大きく異なるというように、建物の窓面の向きによりブラインドの遮光状態を調節する要望が異なっており、したがってこれに見合った操作を各ブラインドについて行なうことが求められるが、高層ビル等ではブラインドの設置台数が極めて多く、ブラインド毎に個別に開閉操作等を行なうのでは極めて煩雑であり、また場所によっては天井の高いフロアなどの天井部付近のブラインドについては遠隔操作しなければならないという問題もあり、これらのことから、多数のブラインドを一括して制御できるようにすることが要望され、このような制御にコンピュータによる統括制御が可能な電動ブラインドが適しているからである。
【０００３】
しかし、高層ビル等に設置される多数の電動ブラインドは、全て同一の状態に制御することは殆どなく、むしろ、上述した窓面の向きや就業時間が異なる種々の会社，団体等について、各階毎あるいは同一階であっても一定の範囲に仕切られた部署毎に細かく分けて制御可能とすることが望まれる。
【０００４】
このような場合には、一つのブラインド毎に対象を指定して制御指令を送ることが必要になって、各ブラインドを識別するための識別標識（個別番号）が必要になる。
【０００５】
ところで、複数の電動ブラインドをコンピュータで統括制御するために個々のブラインドに識別番号を付与する方式としては、例えば、各ブラインド毎にその駆動制御のために設けたローカルＣＰＵ等を含むブラインドコントローラを利用して、デップスイッチやロータリースイッチ等のコード設定手段でアドレスとしての識別番号（以下、機械的に付与するアドレスとして「物理アドレス」という）を付与し、統括制御装置側から特定のブラインドを駆動させる際のデータとする方法（特開平４−５３８７号）が提案されている。
【０００６】
また、多数のブラインドの夫々が有する上述のローカルＣＰＵ等を含むブラインドコントローラに、統括制御装置側から送信される識別番号を受信してこれを記憶する手段と、自己の記憶した識別番号に例えば「＋１」した識別番号を次位のブラインドコントローラに送信する送信手段とを設け、信号伝送路により多数直列に接続したブラインドコントローラに順次にアドレスとしての識別番号（以下、メモリーに記憶するアドレスとして「論理アドレス」という）を付与する方法も提案されている（特開平５−２４８１５２号）。
【０００７】
【発明が解決しようとする課題】
しかし、上記従来の機械的手段で物理アドレスを設定する方式では、数百を越えるような極めて多数のブラインドについて全て異なる物理アドレスを設定する初期作業が大変煩雑であるという問題があり、また、テナントの入れ替え等に伴って一度設定した物理アドレスを変更するような場合には、対象となるブラインドコントローラのデップスイッチを夫々手作業で切換えることが必要になり、特に台数の多い場合や取付け位置等によってはその変更作業が非常に煩雑になるという時間的、労力的な無駄を招く問題があり、小規模な電動ブラインド群については適用できても、大規模ブラインド群の統括制御に適用することは現実的でない。
【０００８】
一方、上述した統括制御装置に直列に接続したブラインドコントローラに、上位のブラインドコントローラに付けた番号から下位に向かって順次「＋１」した番号付けをする方式は、統括制御装置側から各ブラインドコントローラのアドレスコードを付与できるので初期のアドレス設定作業が容易であるという利点がある。しかし、直列的に接続された多数のブラインドに順次「＋１」した数列的アドレスを付与するに過ぎないため、途中のブラインドを移設する場合や、ブラインドを増設するような場合には、該当する一連の制御系に属する各ブラインドの数列的アドレスを再設定しなければならないという問題がある。また、大規模なブラインド群を統括制御する場合に、付与された番号だけで部分的な管理を行なうことは実際には容易でない。
【０００９】
また一連の制御系に属するブラインドの一部をリモートコントロール手段で部分的に制御させることも、制御対象のブラインドのアドレスが分かり難いために容易でないという問題もある。
【００１０】
本発明は、以上のような従来方式の制御装置における問題点を解消した新規な電動ブラインドの制御装置を提供することを目的とするものであり、その目的の一つは、数百台にも上るような極めて多数のブラインドを設置した建物等においてこれらのブラインドを統括制御するのに適するように、動作制御する際に用いる個々のブラインドのアドレスをコンピュータを含む統括指令手段から送信する電気的信号によって容易に設定でき、また容易に設定切換えができるようにした電動ブラインドの制御装置を提供するところにある。
【００１１】
また本発明の別の目的は、高層ビル等における各フロア毎、あるいは一定の範囲として仕切られた各部署毎のブラインド群を、容易に制御し管理することができる電動ブラインドの制御装置を提供するところにある。
【００１２】
更に本発明の別の目的は、制御対象のブラインドの管理と、その動作を確実に行なわせることができる電動ブラインドの制御装置を提供するところにある。
【００１３】
本発明の他の目的は、中央制御装置の下位、例えば高層ビルの各フロア毎に２次指令手段を設けて、日常的なブラインドの動作指令等を移行させることができて統括指令手段の負担を軽減させることができる電動ブラインドの制御装置を提供するところにある。
【００１４】
【課題を解決するための手段及び作用】
上記目的を達成する本発明よりなる電動ブラインドの制御装置の特徴の一つは、多数の電動ブラインドの各一台毎又は同一動作を行なう各一群毎に、対応する電動ブラインドの動作制御をする各一台のブラインドコントローラを設けて、これらのブラインドコントローラを通信線により接続しかつ該通信線の一端にブラインドの動作を指令する指令手段を接続した電動ブラインドの制御装置において、上記各ブラインドコントローラは、機械的操作で各ブラインドコントローラを個々に識別する物理アドレスコードを与える物理アドレス設定手段と、物理アドレスコードと共に上記指令手段から送信される論理アドレスコードを受信し、上記指令手段から送信される物理アドレスコードが自己を指定している場合に、当該物理アドレスコードと共に送信される論理アドレスコードを登録する論理アドレス登録手段と、上記指令手段から送信される論理アドレスコードが自己を指定している場合に、当該論理アドレスコードと共に上記指令手段から送信される動作指令信号に基づいてブラインドを動作させる動作制御手段とを有し、上記指令手段は、各ブラインドコントローラを示す上記論理アドレスコードを設定する論理アドレス設定手段と、送信先のブラインドコントローラを示す物理アドレスコードと共に当該設定された論理アドレスコードを送信する論理アドレス送信手段と、送信先のブラインドコントローラを示す論理アドレスコードと共に当該ブラインドコントローラの動作を決める上記動作指令信号を送信する動作信号送信手段とを有し、上記論理アドレス設定手段は、少なくとも、共通あるいは相互に関連した動作を行なうグループ内に所属する複数のブラインドを他のブラインドと識別するために共通の数字及び／又は符号付けされたコードからなる第一の階層と、共通あるいは相互に関連した動作を行なうグループ内に所属する複数のブラインドを他のブラインドと識別するために共通の数字及び／又は符号付けされ、前記第一の階層のコードとは異なるコードからなる第二の階層と、上記第一の階層又は第二の階層によるグループ内の各ブラインドを識別するために数字及び／又は記号で符号付けされたコードからなるブラインド識別階層と、からなる複数の階層構造をなす論理アドレスコードを設定するものである構成としたところにある。
【００１５】
上記構成において、電動ブラインドとしては、一般的には多数のスラットをラダーコードで上下方向に離間して吊持した一般的なブラインドが用いられるが、これ以外のロールスクリーン，カーテン，シャッター等の場合を含み得る。
【００１６】
電動ブラインドの一台あるいは一群に対して各一個宛設けられるブラインドコントローラは、指令手段からの種々の信号を受信する各受信手段、メモリ等の記憶手段、予め定められたシーケンスプログラムなどに従って、例えばブラインド開閉のためにスラット昇降紐を巻き付けたドラムを回転させるモータ、スラットの遮光状態を調節するためにラダーコードの状態を巻き付けた傾動ドラムを回転させるモータ等、これらの駆動を制御する制御手段等を構成するＭＰＵ（マイクロプロセッサユニット）を備えたものとして構成される。なお、ブラインドコントローラは、ブラインドの一台に対して各一台設けられる場合の他、常に同一動作をするためにコントローラを兼用できる場合には、その同一動作をする一群のブラインドに対して一台のブラインドコントローラを設けることもできる。
【００１７】
そしてこのブラインドコントローラは、通信線の一端に接続された指令手段から、それぞれのブラインドコントローラを示す識別コードと共に送られる論理アドレスコードを受信して、送信された識別コードと自己が有する識別コードが一致すると判別した場合に論理アドレスコードを登録（記憶）する論理アドレス登録（記憶）手段を有する。この場合に、各ブラインドコントローラが有する識別コードは、例えばデップスイッチ，ロータリースイッチ等の機械的な操作で入力したもの（「物理アドレス」）を用いることができるが、これに限定されるものではなく、上述した特開平５−２４８１５２号の方式により、指令手段に最も近いブラインドコントローラに入力した識別コードとしてのある数字から、順次次位のブラインドコントローラに例えば「＋１」した数字を識別コードとして付与する予備的論理アドレスコードの設定を行ない、この予備的論理アドレスコードの数字を利用して本発明の階層構造をなす「論理アドレスコード」を付与する方式を採用することもできる。
【００１８】
論理アドレスは、指令手段から、送信先を示す物理アドレスコード等と共に通信線を通して直列に接続された一連のブラインドコントローラに送信され、送信された物理アドレスコードが自己に設定されている物理アドレスコードと一致するブラインドコントローラにおいて、その論理アドレスコードが登録され、以後はこの論理アドレスコードと共に動作指令信号を指令手段から送信することでブラインドの動作制御を行なうことができる。
【００１９】
上記論理アドレス設定手段により設定される「論理アドレスコード」は、共通あるいは相互に関連した動作を行なうグループ内に所属する複数のブラインドを他と区別するのに適した階層構造をなすものである。これを高層ビルの窓面に設置される多数のブラインドを対象とした場合を例にして説明すると、例えば、所定階のフロアを示す第１の階層（例えばフロアを示す「Ｆ」の記号と数字）、そのフロア内に複数の会社が入居している場合には所定の会社（テナント）を示す第２の階層（例えばテナントを示す「Ｔ」の記号と数字）、同一テナント内の所定の部署を示す第３の階層（例えば部署を示す「Ｇ」の記号と数字）、同一部署内のブラインドを区別するための第４の階層（例えば数字）のように、４つの階層をもつコード（例えば１０階フロアの第１のテナントの第４部署の２番目のブラインドであれば「１０Ｆ０１Ｔ０４Ｇ０２」）として設定することができる。なおコードを数字のみから構成することも勿論でき、上記の例でいえば、上位２桁がフロア、次の２桁がテナント、その次の２桁が部署、最下位の２桁が同一部署内の番号として「１００１０４０２」とすることもできる。論理アドレスコードの構成は、以上のような階，テナント，部署等の区分けの他、管理の容易さや変更再登録時の操作性などを考慮して適宜のコード構成を採用できることは言うまでもなく、階層構造も複数であればその階層数を限定されるものではない。
【００２０】
なお、上記において「相互に関連した動作を行なうグループ」というのは、管理目的にしたがって決められ、上記のような階，テナント，部署等の区分けに限られず、例えば窓面の向き等により区分けして、日射状態をセンサーで検知する装置を組み合わせて、南面，東面，西面，北面の窓のブラインドを日射状態に合わせて制御するように設ける場合を例示することができる。
【００２１】
このような４層の階層構造をなす論理アドレスコードによれば、例えば「１０Ｆ０１Ｔ０４Ｇ０２」の一つのブラインドだけを任意単独に動作させられるし、また所定桁の一致（例えば上位３桁「１０Ｆ」の前方一致）で対象ブラインドを特定する送受信ができるように構成しておけば、「１０Ｆ？」の論理アドレスコードと動作指令信号の送信により１０階全部のブラインドを開閉させる動作などを簡単に行なわせるか、同様に「１０Ｆ０１Ｔ？」の上位６桁の前方一致で対象ブラインドを特定して、例えば１０階の第１テナントが臨時休業した場合にそのテナントに所属する窓面のブラインドを閉じさせる操作を容易にできる。
【００２２】
本発明の指令手段は、通常は、コンピュータとキーボード等の入力手段とにより構成される。
【００２３】
また本発明の指令手段は、上述したような論理アドレスコードの設定を行う他に、ブラインドの動作制御のために種々の制御信号を、送信先を示す論理アドレスコードと共にブラインドコントローラに送信する役割を有する。
【００２４】
これらの動作制御を例示的に挙げると以下の通りである。
【００２５】
▲１▼：所定のブラインドについての動作（開閉，スラットの傾動姿勢設定など）を行わせる。
【００２６】
▲２▼：カレンダー機能を備えて、日単位、週単位、月単位、年単位などで日常的に一定の動作として繰り返されるルーチンの動作をブラインドに自動的に行わせる。
【００２７】
▲３▼：各ブラインドに設けたセンサー等との連係でブラインドの動作状態の異常を検出する。
【００２８】
▲４▼：論理アドレスコードを、例えば数秒あるいは数分毎に物理アドレスコードと共に送信して、各ブラインドコントローラにそれに登録した論理アドレスコードを確認させる。
【００２９】
▲５▼：最新（ブラインドに行わせた最も新しい）の動作信号を、例えば数秒あるいは数分毎に論理アドレスコードと共に送信して、所定のブラインドの動作完了を確保する。
【００３０】
▲６▼：陽光センサーから入力した照度データに基づいて所定のブラインドの動作を自動的に行なう。
【００３１】
これらの動作制御を行う手段は、一般的には指令手段を構成しているコンピュータのＲＯＭ，ＲＡＭに組み込んだシーケンスプログラムのモジュールにより与えられるが、これに限定されるものではない。
【００３２】
本発明の以上のような機能を有する上記指令手段は、好ましい態様としては、このような指令手段を、コンピュータとキーボード等からなる上位の統括指令手段と、これに接続されたＭＰＵ下位の２次指令手段の複数とを組合せた制御装置を挙げることができる。具体的には、例えば高層ビルの各フロア毎に、そのフロアに設置される例えば百台程度のブラインドコントローラを一本の通信線で接続してその一端に２次指令手段を接続し、各フロアの２次指令手段を、別の通信線で上位の統括指令手段に接続するという構成を例示できる。各フロアの２次指令手段を複数としても勿論よい。
【００３３】
このような２次指令手段を用いる方式は、２次指令手段に接続された各ブラインドコントローラ（以下２次指令手段下位のブラインドコントローラという）に論理アドレスコードを送信し登録させる場合に都合がよいという利点がある。例えば、論理アドレスコードをその登録のために送信する場合には、上述のように送信先を識別するための例えば物理アドレスコードと共に送信することが必要であるが、２次指令手段で各フロアのブラインドコントローラを分岐させている構成では、各フロアの通信線で接続されているブラインドコントローラ群は、一つの通信線で接続されているブラインドコントローラの間で区別（例えば百台の場合に００１〜１００の物理アドレスコード）できれば、系統が異なる通信線の物理アドレスコードは同じ一連番号（全ての通信線の百台のブラインドコントローラの物理アドレスコードを００１〜１００）としてもよく、物理アドレスの設定作業が容易になるからである。
【００３４】
また２次指令手段は、統括指令手段からの指令をその２次指令手段に接続されている通信線に流すだけの単なる中継器としての機能を有するように設けることもできるが、上位の統括指令手段の役割の一部あるいは全ての役割を有するように設けることもできる。具体的には、例えば上記論理アドレス送信手段を２次指令手段に設けて、統括指令手段から送信された論理アドレスコードを記憶し、２次指令手段下位のブラインドコントローラに論理アドレスコードを設定登録，更新再登録ができるようにしてもよいし、キーボード等の論理アドレス設定手段を接続して、２次指令手段下位のブラインドコントローラの論理アドレスコードを統括指令手段からでなくこの２次指令手段で設定できるようにすることもできる。また、この上記▲１▼〜▲６▼で例示した指令手段の機能を、統括指令手段と重複させてあるいは統括指令手段にその手段の一部を設けることなく、２次指令手段に設けることもできる。このためには、以下のような２次指令手段に種々の手段が設けられる。例えば、カレンダー機能と、当該２次指令手段下位のブラインドコントローラの日単位、週単位、月単位、年単位などで日常的に一定の動作として繰り返されるルーチンの動作とを記憶して各ブラインドコントローラに自動的に送信して動作させる手段、各ブラインドに設けたセンサー等との連係でブラインドの動作状態の異常を検出する手段、論理アドレスコードを、例えば数秒あるいは数分毎に物理アドレスコードと共に送信して、各ブラインドコントローラがそれに登録した論理アドレスコードを確認する手段、上記最新の動作信号を、例えば数秒あるいは数分毎に論理アドレスコードと共に送信して、所定のブラインドの動作完了を確保する手段などである。
【００３５】
なお、統括指令手段と共に２次指令手段を設けた指令手段においては、ブラインドコントローラを示すアドレスコードが設けられるのと同様に、２次指令手段もアドレスコードを有することが必要である。この２次指令手段は比較的数が少ないので上記した物理アドレスで信号送信先を識別管理することもできるが、数の比較的多い場合にはブラインドコントローラに対する論理アドレスコードを設定するのと同じ論理アドレス設定方式を採用することも勿論できる。
【００３６】
なお、上記２次指令手段を用いる方式は、必要に応じ同様の理由で、２次指令手段の下位に更に複数の３次指令手段（更に言えば更に下位複数次指令手段）を設けてその下位にブラインドコントローラを設ける様にしてもよいことは勿論である。
【００３７】
本発明のもう一つの特徴は、所定のブラインドコントローラの論理アドレスコードを物理アドレスコードと共に単位時間毎に繰り返し送信して各ブラインドコントローラに登録した論理アドレスコードを確認させること、あるいは、最新の動作信号を論理アドレスコードと共に単位時間毎に繰り返し送信して所定のブラインドの動作完了を確保するようにしたことにある。これは次の理由による。すなわち、信号の送受信を確実化するためには、送信元の送信信号が受信先に確実に受信されているか否かを確認するために送信先で受信した信号を送信元に戻すことが考えられるが、この方式では送信先から所定の信号を送信元に戻す手段を設ける必要がある。しかし、このようにすると全体システムが複雑になるし、極めて多数のブラインドコントローラのコストが嵩むという問題を招く。そこで本発明においては、通信線上の不具合で所定の信号を送信した際の送受信が不適当であった場合を考慮し、予め定めた所定の単位時間毎に同じ信号を繰り返し送信して、通信時の不具合による不動作を回避する方式としたのである。上記の繰り返し送信する単位時間は、限定されるものではないが、動作信号及び論理アドレスコードについては数秒〜数分に設定するのが好ましい場合が多い。
【００３８】
本発明の更に他の特徴は、通信線とは有線で接続されていないリモートコントロール手段を設けて、ブラインドコントローラあるいは２次指令手段に対して論理アドレスコードの設定信号、あるいは動作指令信号を無線で送信可能に設けるようにしたところにある。
【００３９】
これにより、ブラインドの設置場所などにおいて任意に特定のブラインドを動作させることができる。
【００４０】
【実施例】
以下、図面に示す実施例に基づいて本発明を更に説明する。
【００４１】
図１は、本発明を適用した高層ビルの窓面に設備した電動ブラインドの制御装置のシステム全体の構成概要を示したものであり、この図において、１は統括指令手段としての中央制御装置を示し、例えばいわゆるパソコンにより構成されている。なお本例においては、照度センサー２から照度アンプ３を介して検出したビル外面の日射状態によりブラインドの開閉動作及びスラット回転動作の制御ができるように構成されている。
【００４２】
４は、高層ビルの各階のフロア毎に設置された２次指令手段としてのフロア制御装置（以下「ＦＣＵ」と略記する）であり、例えば４０階のビルの各階に全てブラインドが設置されているとした場合に、１階のＦＣＵ４01〜４０階のＦＣＵ４40が、上記中央制御装置１に対して第１の通信線１０１により直列に接続されている。
【００４３】
そして各ＦＣＵ４には第２の通信線４０１が接続され、この通信線４０１に多数（例えば百台）のブラインドコントローラ（以下「ＢＣ」と略記する）５001 〜５100 が直列に接続されている。なお本例では、１階のＦＣＵ４01には２本の通信線４０１が接続されている。５０１は各ブラインド５０２の動作を行わせるためのモータ等を内蔵した駆動機構を示す。
【００４４】
また本例においては、４０階のＦＣＵ４40にはリモコン受信機４０２を接続して、グループリモコン送信機４０３からの信号送信によってＦＣＵ４40下位のＢＣ５001 〜５100 の論理アドレスコードの設定登録、更新登録、動作指令などができるように設けられていると共に、特定のＢＣ（図示例では、ＦＣＵ４40に接続のＢＣ５001 ，５002 、ＦＣＵ４39に接続のＢＣ５001 ）について個別にリモコン制御手段ができるように個別コントローラ４０４とリモコン送信機４０５が設けられ、また、特定のグループのＢＣ（図示例では、ＦＣＵ４39に接続のＢＣ５002 からその下位のグループ、ＦＣＵ４01に接続の一方の通信線のグループ）に対して、グループコントローラ４０６とリモコン送信機４０７によって、そのグループの論理アドレスコードの設定登録、更新登録、動作指令などができるように設けられている。
【００４５】
図２は、図１のように構成された電動ブラインドの制御装置を有する高層ビルの所定階（例えば４０階）の窓面に設置したブラインドと、各ブラインドのブラインドコントローラに登録させる論理アドレスコードの関係を説明するための図であり、この図において、Ｔと番号（１〜５）はそのフロアに入居しているテナント（会社等）を示し、Ｇと番号（１〜５）はその一つのテナント内におけるグループを示し、Ｕと番号は各テナント内のブラインドの一連番号を示している。またＭと番号（１〜２）はそのビルの東西南北（例えばＭ１は南面，Ｍ２は東面）に対する向きを示している。
【００４６】
したがって、例えば「Ｆ４０Ｍ１Ｔ１Ｇ３Ｕ６」という論理アドレスコードは、４０階のテナント１という会社のグループ３に属する南向きの窓面に設置されたブラインドを示し、そのテナント１の一連番号で言えば６番目のブラインドを示すことが極めて簡明に把握できることになる。
【００４７】
次に、このような論理アドレスコードを各ブラインドコントローラ５に設定登録させる操作、及びブラインド５０２を動作させる動作指令信号を送信する操作について説明する。
【００４８】
本例の中央制御装置１、ＦＣＵ４、ＢＣ５の関係は、図３〜図５に示される。すなわち、中央制御装置１は、図３に示すように、マイクロプロセッサユニット（ＭＰＵ）１１０と、キーボード等によって論理アドレスコードの入力や時間割り、カレンダー設定等の種々の初期条件を設定する初期設定手段１１１と、メモリ１１２等を有する他、適宜必要に応じて、状態監視手段（夫々のブラインドの動作完了後の状態を必要な時に表示する手段）１１３、ＣＲＴ等の表示手段１１４、自動制御手段（上記▲１▼〜▲６▼の条件に応じてブラインドを順次動作させる手段）１１５、手動制御手段１１６、更に照度アンプ３からの入力のＡ／Ｄ変換器１１７、ＭＰＵ１１０とＦＣＵ４との間で信号を入出力するＩ／Ｏ１１８を備えている。
【００４９】
またＦＣＵ（フロア制御装置）４は、図４に示すように、マイクロプロセッサユニット（ＭＰＵ）４１０と、中央制御装置１との間で信号を入出力するＩ／Ｏ４１１と、ＢＣ５との間で信号を入出力するＩ／Ｏ４１２と、所定の情報を記憶するメモリ４１３と、所定の信号を単位時間毎に繰り返し出力するように設定されているデータ定周期送信回路４１４とからなっている。
【００５０】
ＢＣ（ブラインドコントローラ）５は、図５に示すように、マイクロプロセッサユニット（ＭＰＵ）５１０と、中央制御装置１あるいはＦＣＵ４との間で信号を入出力するＩ／Ｏ５１１と、デップスイッチ等の機械的手段からなる物理アドレスコードの設定手段５１２と、論理アドレスコードを登録（記憶）しあるいはその他の動作信号等を記憶するメモリ５１３とが設けられ、更に、上記ＭＰＵ５１０は、電動ブラインド５０２のスラット開閉用のモータ及びスラット傾動用のモータ５０２１を駆動制御するように接続されていると共に、ブラインドの昇降状態検出センサー５０２２，スラット角度検出センサー５０２３からの検出信号が入力されるように接続されている。なお本例においては、ブラインドの試運転のためのテストモード実行回路５１４も設けられている。
【００５１】
以上のような構成の中央制御装置１、ＦＣＵ（フロア制御装置）４、ＢＣ（ブラインドコントローラ）５の間の信号の送受信は次のように行なわれる。まず、各フロアのＦＣＵ４においては、図６に示すように、中央制御装置１から第１の通信線１０１を介して送られる信号を受信し、自己のフロアが指定（同時に送信される物理アドレスコード又は論理アドレスコード）されていなければそのまま次位のＦＣＵに流し、自己が指定されている場合には、その信号が記憶対象であればＦＣＵ４のメモリ４１３に記憶する。このような記憶対象の信号としては、例えば、物理アドレスコードと共に受信する論理アドレスコード、論理アドレスコードと共に受信される下位のＢＣ５の動作制御のための情報（例えば、ブラインドの開閉モード、論理アドレス、カレンダー情報等）が挙げられる。また信号が記憶対象でなく、そのＦＣＵの下位のＢＣに直接送信すべき信号である場合には、第２の通信線４０１にその信号を送出する。
【００５２】
また、図７に示すように、記憶した上記情報をメモリから読出して、第２の通信線４０１を介して下位に接続された一連のＢＣ５に所定の信号（例えば、ブラインドの開閉モード、論理アドレス、カレンダー情報等）を送信先を示す論理アドレスコードと共に送出し、ＢＣ５によるブラインドの動作制御を行なわせる。また論理アドレスコードを設定する場合には、各ＢＣ５001 〜ＢＣ100 に設定されている物理アドレスコードと共に論理アドレスコードを送出して各ＢＣに所定の論理アドレスコードを登録させる。
【００５３】
ＢＣ５においては、図８に示すように、ＦＣＵ４から送信された種々の信号を受信し、物理アドレスコードか論理アドレスコードで自己が指定されていない場合にはそのまま次位のＢＣに流し、自己が指定されている場合にはその信号を受信する。そして、アドレス設定信号を受信した際には、メモリ５１３内の論理アドレスをリセットして新しい論理アドレスを更新登録する。また、アドレス設定信号を受信しないで、論理アドレスコードと共に動作指令信号を受信した場合には、メモリ５１３内に記憶していた従来の動作命令をリセットして新しい動作命令を記憶し、またこの命令に基づいてブラインドを動作させる。
【００５４】
図９は、以上のようにして図２のフロアの各ＢＣ（ブラインドコントローラ）に論理アドレスコードを登録した状態を示したものであり、ＦＣＵ４からの第２の通信線４０１に直列に接続されたＢＣには予め物理アドレスコード００１〜ｎ（例えば１００）が設定されていて、この物理アドレスコード標識として各ブラインドの論理アドレスコード（図の例では「Ｔ１Ｇ１Ｕ１」〜「Ｔ５Ｇ１Ｕ５」）が与えられる。
【００５５】
そして以後は、この論理アドレスコードと共に送られる動作指令信号に基づいて、ブラインドの動作制御が行なわれることになる。
【００５６】
なお本例では、ＦＣＵ（フロア制御装置）４のデータ定周期送信回路４１４から、論理アドレスコードと共に動作指令信号が数秒程度の単位時間毎に繰り返し各ＢＣ５に送信されるようになっており、これによって、所定のブラインドにおける動作が確実に確保される。
【００５７】
図１０〜図１７は、上記のように構成される中央制御装置１と、フロア制御装置（ＦＣＵ）４と、ブラインドコントローラ（ＢＣ）５、更にはリモコン機器の有する機能の代表的な組合せ関係を例示的に示したものであるが、本発明はこれらの例に限定されるものではない。なお図１４における「全アドレス設定信号記憶手段」は、登録した論理アドレスコードを設定しなおすために受信された新しい論理アドレスコードを記憶する手段をいい、「全アドレス信号記憶手段」は従来からの論理アドレスコードを登録している記憶手段をいう。
【００５８】
【発明の効果】
本発明によれば、数百台にも上るような極めて多数のブラインドを設置した建物等においてこれらのブラインドを好適に統括制御することが可能となり、特に多数のブラインドを階層構造の論理アドレスを用いて容易に管理することができるという効果がある。
【００５９】
また、一度設定した論理アドレスを設定切換えすることも容易であり、ブラインドの増設や移動、あるいはグループ変更等に対しても容易対応できるという効果が得られ、例えば高層ビル等における各フロア毎、あるいは一定の範囲として仕切られた各部署毎のブラインド群を、容易に制御し管理することができる。
【００６０】
更に、所定の信号を単位時間毎に繰り返し制御対象のブラインドに送信することで、その動作を確実に行なわせることができ、また論理アドレスの確認も確実となる。
【００６１】
更にまた、中央制御装置の下位、例えば高層ビルの各フロア毎に２次指令手段を設けて、日常的なブラインドの動作指令等を移行させることができるので、統括指令手段の負担を軽減させることができるという効果も得られる。
【図面の簡単な説明】
【図１】本発明を適用した高層ビルの窓面に設備した電動ブラインドの制御装置のシステム全体の構成概要を示した図。
【図２】図１の電動ブラインドの制御装置を有する高層ビルの所定階の窓面に設置したブラインドと、ブラインドコントローラに登録させる論理アドレスコードの関係を説明するための図。
【図３】図１の制御装置の統括指令手段である中央制御装置の構成概要を説明するための図。
【図４】図１の制御装置のフロア制御装置の構成概要を説明するための図。
【図５】図１の制御装置のブラインドコントローラの構成概要を説明するための図。
【図６】フロア制御装置で信号を受信する際の手順を説明する図。
【図７】フロア制御装置で信号を送信する際の手順を説明する図。
【図８】ブラインドコントローラで信号を受信する際の手順を説明する図。
【図９】図２の階の各ブラインドコントローラの物理アドレスと論理アドレスの関係を説明するための図。
【図１０】中央制御装置１と、フロア制御装置（ＦＣＵ）４と、ブラインドコントローラ（ＢＣ）５、更にはリモコン機器の有する機能の代表的な組合せ関係を例示的に示した図。
【図１１】図１０の他の例を示した図。
【図１２】図１０の他の例を示した図。
【図１３】図１０の他の例を示した図。
【図１４】図１０の他の例を示した図。
【図１５】図１０の他の例を示した図。
【図１６】図１０の他の例を示した図。
【図１７】図１０の他の例を示した図。
【符号の説明】
１・・・中央制御装置、４・・・フロア制御装置（ＦＣＵ）、５・・・ブラインドコントローラ（ＢＣ）。
【図１】
0003660703.tif 000002
【図２】
0003660703.tif 000003
【図３】
0003660703.tif 000004
【図４】
0003660703.tif 000005
【図５】
0003660703.tif 000006
【図６】
0003660703.tif 000007
【図７】
0003660703.tif 000008
【図８】
0003660703.tif 000009
【図９】
0003660703.tif 000010
【図１０】
0003660703.tif 000011
【図１１】
0003660703.tif 000012
【図１２】
0003660703.tif 000013
【図１３】
0003660703.tif 000014
【図１４】
0003660703.tif 000015
【図１５】
0003660703.tif 000016
【図１６】
0003660703.tif 000017
【図１７】
0003660703.tif 000018